(57)【要約】【課題】  落下や紛失防止用のコードを安定して装着することができ、見栄えも優れた補聴器を提供する。【解決手段】  耳かけ型補聴器１において、落下や紛失防止用のコードであるストラップ８を取り付ける貫通孔９，１０を、ケース７の端部７ａまたは背面７ｂに設けた。【選択図】        図１
2010074509.tif 000002
【特許請求の範囲】
【請求項１】
補聴器本体に、ケースの内部と連通しないように分離して貫通孔を設けたことを特徴とする耳かけ型補聴器。
【請求項２】
前記貫通孔が、ケースに形成される請求項１記載の耳かけ型補聴器。
【請求項３】
前記貫通孔が、装着部品をケースに取り付けることで形成される請求項１記載の耳かけ型補聴器。
【請求項４】
前記貫通孔が、着脱自在な装着部品をケースに取り付けることで形成される請求項１記載の耳かけ型補聴器。
【請求項５】
前記貫通孔が、着脱自在で且つ傾倒自在なリング形状部材をケースに取り付けることで形成される請求項１記載の耳かけ型補聴器。
【発明の詳細な説明】
【技術分野】
【０００１】
本発明は、装用時における落下や紛失の防止に寄与する手段を備えた耳かけ型補聴器に関する。
【背景技術】
【０００２】
補聴器を使用する子供は、遊びなどに夢中になり動き回ると、補聴器を落下させて紛失したり、破損したりすることがある。特に、幼い子供は自分で補聴器を外して紛失することがある。例えば、スキーやそりなど雪遊びをしているときに補聴器を落とすと、発見できないことがある。そこで、親は装用時における補聴器の落下や紛失を防ぐために、補聴器にコードを付けて子供に装用させている。
【０００３】
例えば、コードとしてタコ糸などの紐を用い、この紐の一端を無理やり補聴器に縛り付け、他端を安全ピンで衣類に固定したり、硬くて外れ難いクリップで衣類に固定したりしている。また、コードの端に備えられた帯状の弾性体のバンドを補聴器に巻き付けて装用時の落下による破損や紛失を防止する補聴器用落下防止コードが市販されている。
【発明の開示】
【発明が解決しようとする課題】
【０００４】
しかし、タコ糸などの紐を無理やり補聴器に縛り付けることは、見栄えが悪く、取付方法としても不安定である。また、補聴器用落下防止コードを用いる場合は、わざわざ購入しなければならない。更に、帯状の弾性体のバンドを補聴器に巻き付けると、補聴器のスイッチやボリュームなどの位置や形態によって、扱い難く誤操作や誤動作を招いたり、バンドの厚みにより補聴器の外形が大きくなって、見栄えが悪くなったり、特に小さな子供にとっては装着し難い。
【０００５】
本発明は、従来の技術が有するこのような問題点に鑑みてなされたものであり、その目的とするところは、落下や紛失防止用のコードを安定して装着することができ、見栄えも優れた補聴器を提供しようとするものである。
【課題を解決するための手段】
【０００６】
上記課題を解決すべく請求項１に係る発明は、補聴器本体に、ケースの内部と連通しないように分離して貫通孔を設けたものである。
【０００７】
請求項２に係る発明は、請求項１記載の耳かけ型補聴器において、前記貫通孔が、ケースに形成される。
【０００８】
請求項３に係る発明は、請求項１記載の耳かけ型補聴器において、前記貫通孔が、装着部品をケースに取り付けることで形成される。
【０００９】
請求項４に係る発明は、請求項１記載の耳かけ型補聴器において、前記貫通孔が、着脱自在な装着部品をケースに取り付けることで形成される。
【００１０】
請求項５に係る発明は、請求項１記載の耳かけ型補聴器において、前記貫通孔が、着脱自在で且つ傾倒自在なリング形状部材をケースに取り付けることで形成される。
【発明の効果】
【００１１】
請求項１に係る発明によれば、補聴器本体に貫通孔を設けたことにより、落下や紛失用のコードを見栄えよく、確実に取り付けることができる。
請求項２に係る発明によれば、貫通孔がケースに設けられるので落下や紛失防止用のコードを容易に見栄えよく取り付けることができる。また、ケースの形状を損なうことなしにデザイン性よく貫通孔を形成することができる。
【００１２】
請求項３に係る発明によれば、装着部品をケースに取り付けることにより、貫通孔が形成されるので、落下や紛失防止用のコードを容易に見栄えよく取り付けることができる。また、傾倒自在にすることもできるので、コードを使用しないときはケース面に倒すことで邪魔にならず、デザイン性よく貫通孔を形成することができる。
【００１３】
請求項４に係る発明によれば、着脱自在な装着部品をケースに取り付けることにより、落下や紛失防止用のコードを使用しないときには、装着部品を外しておけばよく、邪魔にならずデザイン性に優れている。また、装着部品に落下や紛失防止用のコードを取り付けておくことにより、装着部品の紛失を防止することができる。
【００１４】
請求項５に係る発明によれば、リング形状部材が着脱自在なので落下や紛失防止用のコードを使用しないときには、外すことができ使い勝手がよい。また、リング形状部材が傾倒自在なので落下や紛失防止用のコードを使用しないときには、ケース面と接するように倒すことで邪魔にならない。また、リング形状部材に落下防止用のコードを取り付けておくことにより、リング形状部材の紛失を防止することができる。
【発明を実施するための最良の形態】
【００１５】
以下に本発明の実施の形態を添付図面に基づいて説明する。ここで、図１は本発明の第１実施の形態を耳かけ型補聴器に適用した場合の概要外観図、図２は同じく作用説明図、図３は同じく第２実施の形態を耳かけ型補聴器に適用した場合の概要外観図、図４は同じく第３実施の形態を耳かけ型補聴器に適用した場合の概要外観図、図５は同じく第４実施の形態を耳かけ型補聴器に適用した場合の概要外観図である。
【００１６】
本発明の第１実施の形態を適用した耳かけ型補聴器１は、図１に示すように、補聴器本体２、フック３、チューブ４、ジョイント５、耳せん６からなる。補聴器本体２は、樹脂製のケース７の中に補聴処理部としてのＤＳＰ（Digital Signal Processor）、マイクロホン、イヤホンや電池などを収納している。
【００１７】
図１（ａ）に示すように、ケース７の端部７ａには、落下による破損や紛失防止用のコードとしてのストラップ８を補聴器本体２に取り付けるための貫通孔９が形成されている。また、図１（ｂ）に示すように、ケース７の背面７ｂにストラップ８を補聴器本体２に取り付けるための貫通孔１０を設けることもできる。貫通孔９,１０は、ケース７内部の部品に影響を与えずコードを取り付けられるように、ケース７内部と連通しないように分離してケース７に形成されている。
【００１８】
貫通孔９，１０の形状は、多角形状・略円形状・略楕円形状や扁平形状など、ケース７に形成できる形状で、耳かけ型補聴器１として構造上問題なければ、自由に設定することができる。貫通孔９，１０を設ける位置も、耳かけ型補聴器１としての構造上問題なければ、自由に設定することができる。
【００１９】
そして、ストラップ８を補聴器本体２に取り付けるには、図２（ａ），（ｂ）に示すように、ケース７に設けた貫通孔９，１０にストラップ８の一端８ａを通し、その一端８ａに設けた輪８ｂを耳せん６から順に補聴器本体２まで通すことにより、補聴器本体２にストラップ８の一端８ａを容易に取り付けることができる。
【００２０】
また、コードとしてタコ糸などを貫通孔９,１０に縛り付けることで、補聴器１の部品に変形や破損などの不具合を招くことなく、見栄えよく取り付けることもできる。また、両耳に耳かけ型補聴器１を装用する場合も同様の方法を用い、左右の補聴器本体２にストラップ８の両端８ａ，８ｃを容易に取り付けることができる。
【００２１】
次に、本発明の第２実施の形態を適用した耳かけ型補聴器１１は、図３に示すように、補聴器本体１２、フック１３、チューブ１４、ジョイント１５、耳せん１６からなる。その他の補聴器本体１２の構成は、第１実施の形態と同様である。
【００２２】
図３（ａ）に示すように、ケース１７の端部１７ａには、ねじ穴（不図示）が設けられており、落下や紛失防止用のコードとしてのストラップ８を補聴器本体１２に取り付けるための装着部品であるリング形状部材１９がねじ穴に取り付けられている。リング形状部材１９は、図３（ｂ）に示すように、ねじ部１９ａとリング通し部１９ｂとリング形状部１９ｃからなり、ねじ部１９ａをねじ穴に螺合することによりケース１７の端部１７ａに取り付けられる。また、図３（ｃ）に示すように、ケース１７の背面１７ｂにストラップ８を補聴器本体１２に取り付けるためのリング形状部材２０を設けることもできる。
【００２３】
リング形状部材１９，２０の形状は、略円形状や略矩形状など、耳かけ型補聴器１１として構造上問題なければ、自由に設定することができる。リング形状部材１９，２０のサイズ・取付位置も、耳かけ型補聴器１１として構造上問題なければ、自由に設定することができる。リング形状部材１９，２０は、ねじ構造に限らずスナップフィット構造などによりケース１７に対して着脱自在である。また、リング形状部材１９，２０は、図３に示す矢印Ａの方向に傾倒自在である。
【００２４】
リング形状部材１９，２０を使用しないときには、リング形状部材１９，２０を補聴器本体１２から外してもよいし、傾倒自在なリング形状部材１９，２０をケース１７の面と接するように倒して邪魔にならないようにすることもできる。なお、図３（ｂ）に示す符号２０ａは、リング形状部材２０をケース１７の背面１７ｂと接するように倒した状態を示す。また、リング形状部材１９，２０にストラップ８を取り付けておくことにより、リング形状部材１９，２０の紛失を防止することができる。
【００２５】
そして、ストラップ８を補聴器本体１２に取り付けるには、図２に示す第１実施の形態と同様の方法を用い、ストラップ８の一端８ａをリング形状部材１９,２０に取り付けてから、このリング形状部材１９,２０を補聴器本体１２に取り付ければよい。また、両耳に耳かけ型補聴器１１を装用する場合も同様、左右の補聴器本体１２にストラップ８の両端８ａ，８ｃを容易に取り付けることができる。
【００２６】
次に、本発明の第３実施の形態を適用した耳かけ型補聴器２１は、図４に示すように、補聴器本体２２、フック２３、チューブ２４、ジョイント２５、耳せん２６からなる。その他の補聴器本体２２の構成は、第１実施の形態と同様である。
【００２７】
図４（ａ）に示すように、落下や紛失防止用のコードとしてのストラップ８を補聴器本体２２に取り付けるための装着部品である成形部品２８を用意する。すると、成形部品２８は、図４（ｂ）に示すように、着脱自在にケース２７に取り付けることができる。成形部品２８には、ストラップ８を補聴器本体２２に取り付けるための貫通孔２９が形成されている。
【００２８】
成形部品２８の形状・サイズ・取付位置は、耳かけ型補聴器２１として構造上問題なければ、自由に設定することができる。例えば、成形部品２８は、ケース２７の端部２７ａを包み込んで耳や頭部に接しないものであり、スナップフィット構造などによりケース２７に対して着脱自在である。
【００２９】
そして、ストラップ８を補聴器本体２２に取り付けるには、図２に示す第１実施の形態と同様の方法を用い、ストラップ８の一端８ａを成形部品２８の貫通孔２９に取り付けてから、この成形部品２８を補聴器本体２２に取り付ければよい。  また、両耳に耳かけ型補聴器２１を装用する場合も同様、左右の補聴器本体２２にストラップ８の両端８ａ，８ｃを容易に取り付けることができる。
【００３０】
次に、本発明の第４実施の形態を適用した耳かけ型補聴器３１は、図４に示すように、補聴器本体３２、フック３３、チューブ３４、ジョイント３５、耳せん３６からなる。補聴器本体３２を構成するケース３７は、二つのケース半体３７ａ，３７ｂからなる。その他の補聴器本体３２の構成は、第１実施の形態と同様である。
【００３１】
図５（ａ）に示すように、落下や紛失防止用のコードとしてのストラップ８を補聴器本体３２に取り付けるための装着部品である略Ｕ字形状部材３８または略コの字形状部材３９を用意する。また、ケース半体３７ａ，３７ｂには、夫々略Ｕ字形状部材３８の両端に形成されたケース取付部３８ａ，３８ｂまたは略コの字形状部材３９の両端に形成されたケース取付部３９ａ，３９ｂが装着される凹部（不図示）が設けられている。
【００３２】
略Ｕ字形状部材３８または略コの字形状部材３９は、二つのケース半体３７ａ，３７ｂを組み合わせてケース３７を形成する組立工程において、ケース３７に取り付けることにより、ケース３７内部と分離して形成される貫通孔４０，４１を補聴器本体３２に設けることができる。略Ｕ字形状部材３８または略コの字形状部材３９には、腐食し難い金属や樹脂の成形部品などを採用するのが望ましい。ケース３７に取り付ける装着部品の形状・サイズ・取付位置は、耳かけ型補聴器３１として構造上問題なければ、自由に設定することができる。
【００３３】
そして、ストラップ８を補聴器本体３２に取り付けるには、図２に示す第１実施の形態と同様の方法を用い、ケース３７に設けた貫通孔４０，４１にストラップ８の一端８ａを通し、その一端８ａに設けた輪８ｂを耳せん６から順に補聴器本体３２まで通すことにより、補聴器本体３２にストラップ８の一端８ａを容易に取り付けることができる。また、両耳に耳かけ型補聴器３１を装用する場合も同様、左右の補聴器本体３２にストラップ８の両端８ａ，８ｃを容易に取り付けることができる。
【００３４】
なお、本発明の実施の形態では、本発明を耳かけ型補聴器１，１１，２１，３１に適用した場合を説明したが、耳あな型補聴器に適用することもできる。その場合、落下や紛失防止用のコードを取り付ける貫通孔、リング形状部材及び成形部品をフェースプレートに設けるようにすればよい。
【００３５】
また、落下や紛失防止用のコードとしては、ストラップ８に限らず、紐や鎖などを使用してもよいし、市販品の補聴器用落下防止コードにはクリップ式、ネックレス式や首かけ式などがあり、材質としては硬質塩化ビニールなどが知られているが、これらに限定されることなく、自由に選定し使用することができる。
【産業上の利用可能性】
【００３６】
本発明によれば、ケースのデザイン性を損なうことなく貫通孔を設けることで、落下や紛失防止用のコードを安定して装着することができ、見栄えも優れた耳かけ型補聴器を提供することができる。
【図面の簡単な説明】
【００３７】
【図１】本発明の第１実施の形態を耳かけ型補聴器に適用した場合の概要外観図で、（ａ）は貫通孔をケースの端部に設けた場合、（ｂ）は貫通孔をケースの背面に設けた場合
【図２】本発明の第１実施の形態を耳かけ型補聴器に適用した場合の作用説明図で、（ａ）は貫通孔をケースの端部に設けた場合、（ｂ）は貫通孔をケースの背面に設けた場合
【図３】本発明の第２実施の形態を耳かけ型補聴器に適用した場合で、（ａ）はリング形状部材をケースの端部に設けた概要外観図、（ｂ）はリング形状部材の正面図、（ｃ）はリング形状部材をケースの背面に設けた概要外観図
【図４】本発明の第３実施の形態を耳かけ型補聴器に適用した場合の概要外観図で、（ａ）は成形部品をケースに取り付ける前の状態、（ｂ）は成形部品をケースに取り付けた後の状態
【図５】本発明の第４実施の形態を耳かけ型補聴器に適用した場合で、（ａ）は略Ｕ字形状部材及び略コの字形状部材の斜視図、(ｂ）は略Ｕ字形状部材をケースに取り付けた概要外観図、（ｃ）は略コの字形状部材をケースに取り付けた概要外観図
【符号の説明】
【００３８】
１，１１，２１，３１…耳かけ型補聴器、２，１２，２２，３２…補聴器本体、７，１７，２７，３７…ケース、７ａ，１７ａ，２７ａ…端部、７ｂ，１７ｂ…背面、８…ストラップ、８ａ…一端、８ｂ，８ｄ…輪、８ｃ…他端、９，１０，２９，４０，４１…貫通孔、１９，２０…リング形状部材（装着部品）、２８…成形部品（装着部品）、３７ａ，３７ｂ…ケース半体、３８…略Ｕ字形状部材（装着部品）、３９…略コの字形状部材（装着部品）。
【図１】
2010074509.tif 000003
【図２】
2010074509.tif 000004
【図３】
2010074509.tif 000005
【図４】
2010074509.tif 000006
【図５】
2010074509.tif 000007